【手続補正書】
【提出日】平成19年5月31日(2007.5.31)
【手続補正１】
【補正対象書類名】特許請求の範囲
【補正対象項目名】全文
【補正方法】変更
【補正の内容】
【特許請求の範囲】
【請求項１】
遊技場内に設置され、遊技用装置を特定可能な装置識別情報と催事判定の対象となる催事判定対象情報とを送信する送信手段を有する遊技用装置と、
該遊技用装置とのデータ通信を行うためのデータ通信手段と、複数の催事各々について、催事対象者となる条件を設定するための催事対象条件設定手段と、該催事対象条件設定手段にて設定された催事対象条件を記憶する催事対象条件記憶手段と、前記装置識別情報に対応付けて前記催事判定対象情報を記憶する催事判定対象情報記憶手段と、該催事判定対象情報記憶手段に記憶された催事判定対象情報に基づき、前記遊技用装置にて遊技中の遊技者が催事対象条件を満たしているか否かを判定するための判定手段と、該判定手段にて催事対象条件を満たしていると判定した場合に、催事対象者である旨を示す催事対象者通知を前記遊技用装置に返信する返信手段と、を備える管理装置と、
前記遊技用装置は、前記返信手段から催事対象者通知を受信したことを条件として、催事対象者である旨の報知を行う報知手段を備え、
前記管理装置は、各々の催事について、前記催事対象者である旨の報知を開始する報知開始時期を設定するための報知開始時期設定手段を備え、
前記遊技用装置は、前記返信手段から催事対象者通知を受信したことに基づいて、前記報知開始時期設定手段により設定された報知開始時期に達したか否かを判定する報知開始判定手段を備え、該報知開始判定手段により報知開始時期に達したと判定されたことを条件として、前記報知手段による催事対象者である旨の報知を行うことを特徴とする遊技用システム。
【請求項２】
少なくとも遊技者を特定可能な遊技者特定情報と該遊技者に関する遊技者関連情報とが対応付けて登録された遊技者データベースを有する管理装置と、
遊技場内に設置された遊技台に対応して設けられ、前記遊技者特定情報が記録された記録媒体を受付けて該記録情報の読み出しを行う読み出し手段と、該読み出し手段により読み出された前記遊技者特定情報を前記管理装置に送信する送信手段とを備える遊技用装置と、
から成る遊技用システムにおいて、
前記管理装置は、複数の催事各々について、催事対象者となる条件を設定するための催事対象条件設定手段と、該催事対象条件設定手段にて設定された催事対象条件を記憶する催事対象条件記憶手段と、受信した前記遊技者特定情報に基づいて、該遊技者が催事対象条件を満たしているか否かを判定するための判定手段と、該判定手段にて催事対象条件を満たしていると判定した場合に、催事対象者である旨を示す催事対象者通知を前記遊技用装置に返信する返信手段と、を備え、
前記遊技用装置は、前記返信手段から催事対象者通知を受信したことを条件として、催事対象者である旨の報知を行う報知手段を備え、
前記管理装置は、各々の催事について、前記催事対象者である旨の報知を開始する報知開始時期を設定するための報知開始時期設定手段を備え、
前記遊技用装置は、前記返信手段から催事対象者通知を受信したことに基づいて、前記報知開始時期設定手段により設定された報知開始時期に達したか否かを判定する報知開始判定手段を備え、該報知開始判定手段により報知開始時期に達したと判定されたことを条件として、前記報知手段による催事対象者である旨の報知を行うことを特徴とする遊技用システム。
【手続補正２】
【補正対象書類名】明細書
【補正対象項目名】０００１
【補正方法】変更
【補正の内容】
【０００１】
本発明は、遊技場において実施される催事（イベント）の対象条件に合致した遊技者（催事対象者）であることを報知する遊技用システムに関する。
【手続補正３】
【補正対象書類名】明細書
【補正対象項目名】０００４
【補正方法】変更
【補正の内容】
【０００４】
これらイベントを開催する場合においては、催事のサービスの提供時期に応じた的確なタイミング（例えば、無制限のように大当り発生時に関連するサービスが提供されるイベントであれば、大当り発生時）で催事対象者の存在を把握したいという遊技場側の要望があるが、これら要望に応えることのできる遊技用システムが存在しなかった。
【手続補正４】
【補正対象書類名】明細書
【補正対象項目名】０００５
【補正方法】変更
【補正の内容】
【０００５】
よって、本発明は上記した問題点に着目してなされたもので、遊技場内における催事対象者の存在を的確なタイミングで把握することのできる遊技用システムを提供することを目的としている。
【手続補正５】
【補正対象書類名】明細書
【補正対象項目名】０００６
【補正方法】変更
【補正の内容】
【０００６】
前記した問題を解決するために、本発明の遊技用システムは、
遊技場内に設置され、遊技用装置を特定可能な装置識別情報と催事判定の対象となる催事判定対象情報とを送信する送信手段を有する遊技用装置と、
該遊技用装置とのデータ通信を行うためのデータ通信手段と、複数の催事各々について、催事対象者となる条件を設定するための催事対象条件設定手段と、該催事対象条件設定手段にて設定された催事対象条件を記憶する催事対象条件記憶手段と、前記装置識別情報に対応付けて前記催事判定対象情報を記憶する催事判定対象情報記憶手段と、該催事判定対象情報記憶手段に記憶された催事判定対象情報に基づき、前記遊技用装置にて遊技中の遊技者が催事対象条件を満たしているか否かを判定するための判定手段と、該判定手段にて催事対象条件を満たしていると判定した場合に、催事対象者である旨を示す催事対象者通知を前記遊技用装置に返信する返信手段と、を備える管理装置と、
前記遊技用装置は、前記返信手段から催事対象者通知を受信したことを条件として、催事対象者である旨の報知を行う報知手段を備え、
前記管理装置は、各々の催事について、前記催事対象者である旨の報知を開始する報知開始時期を設定するための報知開始時期設定手段を備え、
前記遊技用装置は、前記返信手段から催事対象者通知を受信したことに基づいて、前記報知開始時期設定手段により設定された報知開始時期に達したか否かを判定する報知開始判定手段を備え、該報知開始判定手段により報知開始時期に達したと判定されたことを条件として、前記報知手段による催事対象者である旨の報知を行うことを特徴としている。
この特徴によれば、各々の催事について、催事対象者である旨の報知を開始する報知開始時期を設定でき、設定された報知開始時期に達したことを条件として催事対象者である旨の報知が行われるので、各催事に応じた最も適したタイミングで催事対象者の存在を把握できる。
【手続補正６】
【補正対象書類名】明細書
【補正対象項目名】０００７
【補正方法】変更
【補正の内容】
【０００７】
本発明の遊技用システムは、少なくとも遊技者を特定可能な遊技者特定情報と該遊技者に関する遊技者関連情報とが対応付けて登録された遊技者データベースを有する管理装置と、
遊技場内に設置された遊技台に対応して設けられ、前記遊技者特定情報が記録された記録媒体を受付けて該記録情報の読み出しを行う読み出し手段と、該読み出し手段により読み出された前記遊技者特定情報を前記管理装置に送信する送信手段とを備える遊技用装置と、
から成る遊技用システムにおいて、
前記管理装置は、複数の催事各々について、催事対象者となる条件を設定するための催事対象条件設定手段と、該催事対象条件設定手段にて設定された催事対象条件を記憶する催事対象条件記憶手段と、受信した前記遊技者特定情報に基づいて、該遊技者が催事対象条件を満たしているか否かを判定するための判定手段と、該判定手段にて催事対象条件を満たしていると判定した場合に、催事対象者である旨を示す催事対象者通知を前記遊技用装置に返信する返信手段と、を備え、
前記遊技用装置は、前記返信手段から催事対象者通知を受信したことを条件として、催事対象者である旨の報知を行う報知手段を備え、
前記管理装置は、各々の催事について、前記催事対象者である旨の報知を開始する報知開始時期を設定するための報知開始時期設定手段を備え、
前記遊技用装置は、前記返信手段から催事対象者通知を受信したことに基づいて、前記報知開始時期設定手段により設定された報知開始時期に達したか否かを判定する報知開始判定手段を備え、該報知開始判定手段により報知開始時期に達したと判定されたことを条件として、前記報知手段による催事対象者である旨の報知を行うことを特徴としている。
この特徴によれば、各々の催事について、催事対象者である旨の報知を開始する報知開始時期を設定でき、設定された報知開始時期に達したことを条件として催事対象者である旨の報知が行われるので、各催事に応じた最も適したタイミングで催事対象者の存在を把握できる。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】変更
【補正の内容】
【００１４】
本発明は次の効果を奏する。
（ａ）請求項１の発明によれば、各々の催事について、催事対象者である旨の報知を開始する報知開始時期を設定でき、設定された報知開始時期に達したことを条件として催事対象者である旨の報知が行われるので、各催事に応じた最も適したタイミングで催事対象者の存在を把握できる。
【手続補正１４】
【補正対象書類名】明細書
【補正対象項目名】００１５
【補正方法】変更
【補正の内容】
【００１５】
（ｂ）請求項２の発明によれば、各々の催事について、催事対象者である旨の報知を開始する報知開始時期を設定でき、設定された報知開始時期に達したことを条件として催事対象者である旨の報知が行われるので、各催事に応じた最も適したタイミングで催事対象者の存在を把握できる。
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】０１０８
【補正方法】変更
【補正の内容】
【０１０８】
前記実施例における各要素は、本発明に対して以下のように対応している。
本発明の請求項１は、遊技場内に設置され、遊技用装置（カードユニット３）を特定可能な装置識別情報（装置ＩＤ）と催事判定の対象となる催事判定対象情報（会員ＩＤ、始動信号、大当り信号）とを送信する送信手段（制御ユニット３２８）を有する遊技用装置（カードユニット３）と、該遊技用装置（カードユニット３）とのデータ通信を行うためのデータ通信手段（第２通信部１３０）と、複数の催事各々について、催事対象者となる条件を設定するための催事対象条件設定手段（イベント設定画面）と、該催事対象条件設定手段（イベント設定画面）にて設定された催事対象条件を記憶する催事対象条件記憶手段（記憶手段１２５）と、前記装置識別情報（装置ＩＤ）に対応付けて前記催事判定対象情報（会員ＩＤ）を記憶する催事判定対象情報記憶手段（記憶手段１２５）と、該催事判定対象情報記憶手段（記憶手段１２５）に記憶された催事判定対象情報（会員ＩＤ）に基づき、前記遊技用装置（カードユニット３）にて遊技中の遊技者が催事対象条件を満たしているか否かを判定するための判定手段（ＣＰＵ１２２）と、該判定手段（ＣＰＵ１２２）にて催事対象条件を満たしていると判定した場合に、催事対象者である旨を示す催事対象者通知（イベント対象者通知）を前記遊技用装置に返信する返信手段（第２通信部１３０）と、を備える管理装置（会員管理コンピュータ１２０）と、前記遊技用装置は、前記返信手段から催事対象者通知を受信したことを条件として、催事対象者である旨の報知を行う報知手段（多機能ＬＥＤ３０１ａ）を備え、前記管理装置は、各々の催事について、前記催事対象者である旨の報知を開始する報知開始時期を設定するための報知開始時期設定手段（イベント設定画面）を備え、前記遊技用装置は、前記返信手段から催事対象者通知を受信したことに基づいて、前記報知開始時期設定手段により設定された報知開始時期に達したか否かを判定する報知開始判定手段（制御ユニット３２８；報知制御処理）を備え、該報知開始判定手段により報知開始時期に達したと判定されたことを条件として、前記報知手段による催事対象者である旨の報知を行う。
【手続補正２２】
【補正対象書類名】明細書
【補正対象項目名】０１０９
【補正方法】変更
【補正の内容】
【０１０９】
本発明の請求項２は、少なくとも遊技者を特定可能な遊技者特定情報（会員ＩＤ）と該遊技者に関する遊技者関連情報（住所、年齢、性別など）とが対応付けて登録された遊技者データベースを有する管理装置（会員管理コンピュータ１２０）と、遊技場内に設置された遊技台（パチンコ機２）に対応して設けられ、前記遊技者特定情報（会員ＩＤ）が記録された記録媒体（会員カード）を受付けて該記録情報の読み出しを行う読み出し手段（カードリーダライタ３２７）と、該読み出し手段（カードリーダライタ３２７）により読み出された前記遊技者特定情報（会員ＩＤ）を前記管理装置（会員管理コンピュータ１２０）に送信する送信手段（制御ユニット３２８）とを備える遊技用装置（カードユニット３）と、から成る遊技用システムにおいて、前記管理装置（会員管理コンピュータ１２０）は、複数の催事各々について、催事対象者となる条件を設定するための催事対象条件設定手段（イベント設定画面）と、該催事対象条件設定手段（イベント設定画面）にて設定された催事対象条件を記憶する催事対象条件記憶手段（記憶装置１２５）と、受信した前記遊技者特定情報（会員ＩＤ）に基づいて、該遊技者が催事対象条件を満たしているか否かを判定するための判定手段（ＣＰＵ１２２）と、該判定手段（ＣＰＵ１２２）にて催事対象条件を満たしていると判定した場合に、催事対象者である旨を示す催事対象者通知（イベント対象者通知）を前記遊技用装置に返信する返信手段（第２通信部１３０）と、を備え、前記遊技用装置は、前記返信手段から催事対象者通知を受信したことを条件として、催事対象者である旨の報知を行う報知手段（多機能ＬＥＤ３０１ａ）を備え、前記管理装置は、各々の催事について、前記催事対象者である旨の報知を開始する報知開始時期を設定するための報知開始時期設定手段（イベント設定画面）を備え、前記遊技用装置は、前記返信手段から催事対象者通知を受信したことに基づいて、前記報知開始時期設定手段により設定された報知開始時期に達したか否かを判定する報知開始判定手段（制御ユニット３２８；報知制御処理）を備え、該報知開始判定手段により報知開始時期に達したと判定されたことを条件として、前記報知手段による催事対象者である旨の報知を行う。
【手続補正２３】
【補正対象書類名】明細書
【補正対象項目名】０１１０
【補正方法】削除
【補正の内容】
【手続補正２４】
【補正対象書類名】明細書
【補正対象項目名】０１１１
【補正方法】削除
【補正の内容】
【手続補正２５】
【補正対象書類名】明細書
【補正対象項目名】０１１２
【補正方法】削除
【補正の内容】
【手続補正２６】
【補正対象書類名】明細書
【補正対象項目名】０１１３
【補正方法】削除
【補正の内容】
【手続補正２７】
【補正対象書類名】明細書
【補正対象項目名】０１１４
【補正方法】削除
【補正の内容】
【手続補正２８】
【補正対象書類名】明細書
【補正対象項目名】０１１５
【補正方法】削除
【補正の内容】
【手続補正２９】
【補正対象書類名】明細書
【補正対象項目名】０１２９
【補正方法】変更
【補正の内容】
【０１２９】
また、前記実施例では報知を開始する時期を実施されるイベントに応じて設定できるようになっているが、本発明はこれに限定されるものではなく、報知タイミングを行われるイベントに関係なく一定としても良い。